(57)【要約】【課題】本発明は、閃光装置あるいは閃光装置の延長装置をホットシューに装着するためのホットシューへの接続部構造に関し、ホットシューに、接続部を容易，確実に固定することを目的とする。【解決手段】ホットシューに挿入される挿入部を備えた接続部本体と、前記接続部本体の内部に配置され接触部を備えた弾性部材と、前記接続部本体に配置され前記弾性部材を弾性変形させる操作手段とを有し、前記操作手段は、前記接続部本体の前記ホットシューへの装着時に、前記弾性部材の前記接触部を前記ホットシューの内壁側面に押圧し、前記接続部本体の前記ホットシューからの離脱時に、前記ホットシューの内壁側面への押圧を解除することを特徴とする。【選択図】　　　図１
2004020682.tif 000002
【特許請求の範囲】
【請求項１】
ホットシューに挿入される挿入部を備えた接続部本体と、
前記接続部本体の内部に配置され接触部を備えた弾性部材と、
前記接続部本体に配置され前記弾性部材を弾性変形させる操作手段と、
を有し、
前記操作手段は、前記接続部本体の前記ホットシューへの装着時に、前記弾性部材の前記接触部を前記ホットシューの内壁側面に押圧し、前記接続部本体の前記ホットシューからの離脱時に、前記ホットシューの内壁側面への押圧を解除することを特徴とするホットシューへの接続部構造。
【請求項２】
請求項１記載のホットシューへの接続部構造において、
前記操作手段は、前記接続部本体に回動可能に配置される操作軸を有し、前記操作軸には、操作軸の回動により前記弾性部材を弾性変形させ前記接触部を前記ホットシューの内壁側面に押圧するカム部が形成されていることを特徴とするホットシューへの接続部構造。
【請求項３】
請求項２記載のホットシューへの接続部構造において、
前記弾性部材は、
前記弾性部材を前記接続部本体に支持するための支持部と、
前記支持部に接続され前記操作軸の前記カム部により前記ホットシュー側の両端を拡径可能とされる変形部と、
前記変形部の前記両端から外側に突出して形成される接触部と、
を有することを特徴とするホットシューへの接続部構造。
【請求項４】
請求項３記載のホットシューへの接続部構造において、
前記弾性部材は、板材または線材により一体形成されていることを特徴とするホットシューへの接続部構造。
【請求項５】
請求項１ないし請求項４のいずれか１項記載のホットシューへの接続部構造において、
前記接触部の先端に、鋭角状のエッジ部を形成してなることを特徴とするホットシューへの接続部構造。
【請求項６】
請求項１ないし請求項５のいずれか１項記載のホットシューへの接続部構造において、
前記接続部本体は、閃光装置の脚部であることを特徴とするホットシューへの接続部構造。
【請求項７】
請求項１ないし請求項５のいずれか１項記載のホットシューへの接続部構造において、
前記接続部本体は、延長装置のコードのカメラ側端に配置されていることを特徴とするホットシューへの接続部構造。
【請求項８】
請求項１ないし請求項７のいずれか１項記載のホットシューへの接続部構造において、
前記弾性部材を導電性の金属により形成し、前記弾性部材に基準電位線を接続してなることを特徴とするホットシューへの接続部構造。
【発明の詳細な説明】
【０００１】
【発明の属する技術分野】
本発明は、閃光装置あるいは閃光装置の延長装置をホットシューに装着するためのホットシューへの接続部構造に関する。
【０００２】
【従来の技術】
従来、カメラのホットシューに装着されて使用される閃光装置として、例えば、特開平９−４３６８３号公報に開示されるものが知られている。
この閃光装置では、閃光装置の脚部にロックナットが配置されている。
そして、脚部をホットシューに挿入した状態で、ロックナットを回動することにより、脚部から特別に用意されたロックピンが突出し、ホットシューに特別に用意されたピン穴にロックピンが係止される。
【０００３】
【発明が解決しようとする課題】
しかしながら、このような従来の閃光装置では、閃光装置をカメラのホットシューに固定するためには、閃光装置の脚部のロックピンに対応するピン穴が、ホットシュー側に形成されている必要があり、ピン穴が用意されていない通常のカメラに閃光装置を固定することができないという問題があった。
【０００４】
また、特開昭６２−１２３４３５号公報では、専用のロックピンとロック穴を使わずに、カメラのホットシュー外上面を押圧して摩擦で固定する方法が提案されているが、カメラの外観部分を傷付ける恐れがあるので、強く確実な固定を期待できない。
本発明は、かかる従来の問題を解決するためになされたもので、ホットシューに、接続部を容易，確実に固定することができるホットシューへの接続部構造を提供することを目的とする。
【０００５】
【課題を解決するための手段】
請求項１のホットシューへの接続部構造は、ホットシューに挿入される挿入部を備えた接続部本体と、前記接続部本体の内部に配置され接触部を備えた弾性部材と、前記接続部本体に配置され前記弾性部材を弾性変形させる操作手段とを有し、前記操作手段は、前記接続部本体の前記ホットシューへの装着時に、前記弾性部材の前記接触部を前記ホットシューの内壁側面に押圧し、前記接続部本体の前記ホットシューからの離脱時に、前記ホットシューの内壁側面への押圧を解除することを特徴とする。
【０００６】
請求項２のホットシューへの接続部構造は、請求項１記載のホットシューへの接続部構造において、前記操作手段は、前記接続部本体に回動可能に配置される操作軸を有し、前記操作軸には、操作軸の回動により前記弾性部材を弾性変形させ前記接触部を前記ホットシューの内壁側面に押圧するカム部が形成されていることを特徴とする。
【０００７】
請求項３のホットシューへの接続部構造は、請求項２記載のホットシューへの接続部構造において、前記弾性部材は、前記弾性部材を前記接続部本体に支持するための支持部と、前記支持部に接続され前記操作軸の前記カム部により前記ホットシュー側の両端を拡径可能とされる変形部と、前記変形部の前記両端から外側に突出して形成される接触部とを有することを特徴とする。
【０００８】
請求項４のホットシューへの接続部構造は、請求項３記載のホットシューへの接続部構造において、前記弾性部材は、板材または線材により一体形成されていることを特徴とする。
請求項５のホットシューへの接続部構造は、請求項１ないし請求項４のいずれか１項記載のホットシューへの接続部構造において、前記接触部の先端に、鋭角状のエッジ部を形成してなることを特徴とする。
【０００９】
請求項６のホットシューへの接続部構造は、請求項１ないし請求項５のいずれか１項記載のホットシューへの接続部構造において、前記接続部本体は、閃光装置の脚部であることを特徴とする。
請求項７のホットシューへの接続部構造は、請求項１ないし請求項５のいずれか１項記載のホットシューへの接続部構造において、前記接続部本体は、延長装置のコードのカメラ側端に配置されていることを特徴とする。
【００１０】
請求項８のホットシューへの接続部構造は、請求項１ないし請求項７のいずれか１項記載のホットシューへの接続部構造において、前記弾性部材を導電性の金属により形成し、前記弾性部材に基準電位線を接続してなることを特徴とする。
【００１１】
（作用）
請求項１のホットシューへの接続部構造では、接続部のホットシューへの装着時には、接続部の挿入部がホットシューに挿入され、操作手段を操作することにより、弾性部材の接触部がホットシューの内壁側面に押圧され、これにより本体部がホットシューに強固に固定される。
【００１２】
一方、本体部のホットシューからの離脱時には、操作手段を操作することにより、弾性部材の接触部がホットシューの内壁側面への押圧から解除され、本体部をホットシューから離脱することが可能になる。
【００１３】
請求項２のホットシューへの接続部構造では、接続部の挿入部をホットシューに挿入した状態で、操作手段の操作軸を回動すると、操作軸のカム部が回動される。
そして、カム部により弾性部材が弾性変形され、弾性部材の接触部がホットシューの内壁側面に押圧される。
【００１４】
請求項３のホットシューへの接続部構造では、接続部本体の挿入部をホットシューに挿入した状態で、操作手段の操作軸を回動すると、カム部により弾性部材の変形部の両端が拡径される。
そして、変形部の両端から外側に突出する接触部がホットシューの内壁側面に押圧される。
【００１５】
請求項４のホットシューへの接続部構造では、弾性部材が、板材または線材により一体形成される。
請求項５のホットシューへの接続部構造では、接触部の先端に、鋭角状のエッジ部が形成され、このエッジ部が、ホットシューの内壁側面に押圧される。
請求項６のホットシューへの接続部構造では、接続部本体が、閃光装置の脚部とされ、閃光装置がホットシューに装着される。
【００１６】
請求項７のホットシューへの接続部構造では、接続部本体が、延長装置のコードのカメラ側端に配置され、コードの一端がカメラのホットシューに装着される。
請求項８のホットシューへの接続部構造では、弾性部材が導電性の金属により形成され、弾性部材に基準電位線が接続される。
そして、基準電位線が、弾性部材の接触部を介して、ホットシュー側に電気的に導通される。
【００１７】
【発明の実施の形態】
以下、本発明の詳細を図面に示す実施形態について説明する。
（第１の実施形態）
図１ないし図３は、本発明のホットシューへの接続部構造の第１の実施形態を示している。
【００１８】
この実施形態では、閃光装置の脚部が、カメラのホットシューに装着される。
これ等の図において符号１は、閃光装置の脚部を示している。
この脚部１は、閃光装置の図示しない本体部の底部１Ａに固定されている。
脚部１は、脚部本体２と、操作手段３とを有している。
脚部本体２は、樹脂により形成されている。
【００１９】
そして、脚部本体２は、カメラのホットシュー７に挿入される挿入部２ａを有している。
操作手段３は、脚部本体２の挿入部２ａに略平行に配置される操作軸４と、この操作軸４を回動するための操作部材５とを有している。
操作軸４は、矩形筒状の脚部本体２の一面に形成される貫通穴２ｂに、回動可能に嵌挿されている。
【００２０】
操作軸４は、脚部本体２から外側に突出され、この突出部４ａに、操作部材５が固定されている。
操作部材５には、穴部５ａが形成され、この穴部５ａに操作軸４の突出部４ａが嵌挿されている。
操作部材５の裏面には、案内溝５ｂが形成されている。
【００２１】
この案内溝５ｂは、図４に示すように、操作部材５の中心から所定半径の位置に円弧状に９０度の角度にわたって形成されている。
案内溝５ｂには、脚部本体２から突出されたピン部２ｃが挿入されている。
従って、操作部材５は、案内溝５ｂの一端から他端まで、９０度の角度だけ回動が許容される。
【００２２】
操作部材５の外周には、指掛け部５ｃが一体形成されている。
そして、この指掛け部５ｃが、図の左端に位置する時が、カメラのホットシュー７への閃光装置の装着の解除状態とされる。
また、指掛け部５ｃが、図の右端に位置する時が、カメラのホットシュー７への閃光装置の装着状態とされる。
【００２３】
図２に示すように、脚部本体２内に位置する操作軸４の先端には、嵌合部４ｂが形成されている。
この嵌合部４ｂは、弾性を有する金属からなる弾性部材６の前側に支持されている。
この実施形態では、弾性部材６は、変形部６ａと、変形部６ａの前後に一体形成される支持部６ｂ，６ｃを有している。
【００２４】
変形部６ａは、図１に示すように、ホットシュー７側が開口されるコ字状に形成されている。
変形部６ａの両側は、外側に向けて折曲され接触部６ｄが形成されている。
そして、弾性部材６の支持部６ｃの前側に折曲部６ｅが形成され、この折曲部６ｅに形成される貫通穴６ｆに、操作軸４の嵌合部４ｂが嵌挿されている。
【００２５】
操作軸４における嵌合部４ｂの内側には、カム部４ｃが形成されている。
このカム部４ｃは、弾性部材６のカム受け部６ｈの間に位置されている。
弾性部材６の支持部６ｂ，６ｃは、図３に示すように、脚部本体２の弾性部材受け２ｄの上面に設置され、位置決め壁２ｆにより取付位置が固定されている。さらに、閃光装置の本体部の底部１Ａが、弾性部材６の上面を覆うことにより、弾性部材６は所定の位置に確実に固定されている。
【００２６】
弾性部材６の接触部６ｄは、脚部本体２の溝穴部２ｅに挿通されている。
弾性部材６の上部には、操作軸４のカム部４ｃの動作を受ける、カム受け部６ｈが形成されている。
【００２７】
弾性部材６の接触部６ｄは、カメラのホットシュー７の内壁側面７ａに向けて形成されている。
接触部６ｄの先端は、図２に示すように、鋭角形状に形成されエッジ部６ｉとされている。
弾性部材６は、導電性の金属により形成されている。
【００２８】
そして、弾性部材６の上端には、図１に示すように、基準電位線８が接続されている。
また、カメラのホットシュー７の下面には、カメラ側の基準電位線９が接続されている。
以下、上述した閃光装置の脚部１のホットシュー７への挿脱動作について説明する。
【００２９】
上述した閃光装置では、操作部材５の指掛け部５ｃが、図４の左端に位置する時が、カメラのホットシュー７への閃光装置の装着の解除状態とされる。
そして、この解除状態では、図１に示したように、操作軸４のカム部４ｃが、一対のカム受け部６ｈに対して平行方向に位置されている。
そして、弾性部材６のカム受け部６ｈは、操作軸４のカム部４ｃの力を受けることなく自由状態であり、カメラのホットシュー７の内壁側面７ａと弾性部材６の接触部６ｄとの間に所定の間隙が形成されている。
【００３０】
従って、カメラのホットシュー７への脚部１の装着を自在に行うことが可能である。
そして、この状態から、操作部材５の指掛け部５ｃを、図４の矢印Ａ方向に９０度回動すると、操作部材５の指掛け部５ｃが右端に位置し、この時が、カメラのホットシュー７への閃光装置の装着状態とされる。
【００３１】
図５および図６は、この装着状態を示すもので、この装着状態では、操作軸４のカム部４ｃが、一対のカム受け部６ｈに対して直角方向に位置されている。
そして、弾性部材６のカム受け部６ｈが操作軸４のカム部４ｃにより左右に押し広げられ、弾性部材６の接触部６ｄが、カメラのホットシュー７の内壁側面７ａに押圧され、これにより脚部１がカメラのホットシュー７に強固に固定される。
【００３２】
そして、この装着状態から、操作部材５の指掛け部５ｃを、図４の矢印Ａの反対方向に９０度回動すると、操作部材５の指掛け部５ｃが左端に位置し、解除状態となる。
上述したホットシューへの接続部構造では、脚部１のカメラのホットシュー７への装着時に、弾性部材６の接触部６ｄを、カメラのホットシュー７の内壁側面７ａに押圧するようにしたので、カメラのホットシュー７に、脚部１を容易，確実に固定することができる。
【００３３】
また、上述したホットシューへの接続部構造では、操作軸４を回動すると、操作軸４のカム部４ｃにより弾性部材６が弾性変形し、接触部６ｄがホットシュー７の内壁側面に押圧されるため、ホットシュー７に脚部１を容易，確実に固定することができる。
さらに、上述したホットシューへの接続部構造では、操作軸４を回動すると、操作軸４のカム部４ｃにより弾性部材６の変形部６ａの両端が拡径され、接触部６ｄがホットシュー７の内壁側面７ａに押圧されるため、ホットシュー７に脚部１を容易，確実に固定することができる。
【００３４】
また、上述したホットシューへの接続部構造では、弾性部材６を、板材により一体形成したので、弾性部材６を容易かつ安価に製造することができる。
さらに、上述したホットシューへの接続部構造では、接触部６ｄの先端に、鋭角状のエッジ部６ｉを形成したので、エッジ部６ｉをホットシュー７の内壁側面７ａに容易，確実に食い込ませることができる。
【００３５】
そして、上述した閃光装置では、弾性部材６を導電性の金属により形成し、弾性部材６に基準電位線８を接続したので、カメラと閃光装置とに共通の基準電位を確実に取ることができる。
なお、この理由については、後に詳細に説明する。
（第２の実施形態）
図７ないし図９は、本発明のホットシューへの接続部構造の第２の実施形態を示している。
【００３６】
この実施形態では、図１０に示すように、カメラ１１のホットシュー７に、延長装置１２のカメラ１１側の接続部１３が装着される。
カメラ１１側の接続部１３は、コード１４を介して閃光装置１５側の接続部１６に連結されており、閃光装置側の接続部１６のホットシュー１７に、閃光装置１５が装着される。
【００３７】
図７において符号１３は、延長装置１２のカメラ１１側への接続部を示している。
この接続部１３には、延長装置１２の図示しない多芯電線部が固定される。
接続部１３は、接続部本体２１と、蓋２２と、操作手段２３とを有している。
接続部本体２１は、樹脂により形成されている。
【００３８】
そして、接続部本体２１は、カメラ１１のホットシュー７に挿入される挿入部２１ａを有している。
蓋２２は、ホットシュー７に対向して配置され、樹脂により形成されている。
そして、蓋２２は、操作軸２５が嵌挿される貫通穴２２ａを有している。
操作手段２３は、接続部本体２１の挿入部２１ａに略垂直に配置される操作軸２５と、この操作軸２５を回動するための操作部材２６とを有している。
【００３９】
操作軸２５は、蓋２２に形成される貫通穴２２ａに、回動可能に嵌挿されている。
操作軸２５は、蓋２２から突出され、この突出部２５ａに、操作部材２６が固定されている。
【００４０】
操作部材２６には、穴部２６ａが形成され、この穴部２６ａに操作軸２５の突出部２５ａが嵌挿されている。
操作部材２６の裏面には、案内溝２６ｂが形成されている。
この案内溝２６ｂは、図１１に示すように、操作部材２６の中心から所定半径の位置に円弧状に、９０度の角度にわたって形成されている。
【００４１】
案内溝２６ｂには、蓋２２から突出されたピン部２２ｂが挿入されている。
従って、操作部材２６は、案内溝２６ｂの一端から他端まで、９０度の角度だけ回動が許容される。
操作部材２６の外周には、図１１に示すように、指掛け部２６ｃが一体形成されている。
【００４２】
そして、指掛け部２６ｃが、左端に位置する時が、カメラ１１のホットシュー７への閃光装置の装着の解除状態とされる。
また、指掛け部２６ｃが、右端に位置する時が、カメラ１１のホットシュー７への閃光装置の装着状態とされる。
操作軸２５の先端には、カム部２５ｂが形成されている。
【００４３】
このカム部２５ｂは、弾性部材である線ばね部材２７のカム受け部２７ａの間に位置されている。
この実施形態では、線ばね部材２７は、図７に示すように、ホットシュー７側が開口されるコ字状の変形部２７ｂを有している。
変形部２７ｂの両側は、外側に向けて折曲され接触部２７ｃが形成されている。
【００４４】
そして、図８に示すように、変形部２７ｂの中央が、Ｕ字状に折曲され支持部２７ｄが形成され、この支持部２７ｄの開口側がカム受け部２７ａとされている。
線ばね部材２７の支持部２７ｄは、図８に示すように、接続部本体２１の線ばね部材受け２１ｂに設置され、位置決め壁２１ｃにより取付位置が固定されている。
【００４５】
さらに、蓋２２の押さえ壁２２ｃで、線ばね部材２７の上面を覆うことにより、線ばね部材２７は所定の位置に確実に固定されている。
線ばね部材２７の接触部２７ｃは、接続部本体２１の溝穴部２１ｄに挿通されている。
線ばね部材２７の上部には、操作軸２５のカム部２５ｂの動作を受ける、カム受け部２７ａが形成されている。
【００４６】
線ばね部材２７の接触部２７ｃは、カメラ１１のホットシュー７の内壁側面７ａに向けて形成されている。
接触部２７ｃの先端は、鋭角形状に形成されエッジ部２７ｅとされている。
線ばね部材２７は、導電性の金属により形成されている。
そして、線ばね部材２７の上端には、基準電位線８が接続されている。
【００４７】
また、カメラ１１のホットシュー７の下面には、カメラ１１側の基準電位線９が接続されている。
以下、上述したカメラ１１のホットシュー７と延長装置１２のカメラ１１側の接続部１３の挿脱動作について説明する。
上述した延長装置１２の接続部１３では、操作部材２６の指掛け部２６ｃが、図１０の左端に位置する時が、カメラ１１のホットシュー７への延長装置１２の接続部１３の装着の解除状態とされる。
【００４８】
そして、この解除状態では、図８に示したように、操作軸２５のカム部２５ｂが、一対のカム受け部２７ａに対して平行方向に位置されている。
そして、線ばね部材２７のカム受け部２７ａは、操作軸２５のカム部２５ｂの力を受けることなく自由状態であり、カメラ１１のホットシュー７の内壁側面７ａと線ばね部材２７の接触部２７ｃとの間に所定の間隙が形成されている。
【００４９】
従って、カメラ１１のホットシュー７への接続部１３の装着を自在に行うことが可能である。
そして、この状態から、操作部材２６の指掛け部２６ｃを、図１１の矢印Ａ方向に９０度回動すると、操作部材２６の指掛け部２６ｃが右端に位置し、この時が、カメラ１１のホットシュー７への延長装置１２の接続部１３の装着状態とされる。
【００５０】
図１２および図１３は、この装着状態を示すもので、この装着状態では、操作軸２５のカム部２５ｂが、一対のカム受け部２７ａに対して直角方向に位置されている。
そして、線ばね部材２７のカム受け部２７ａが操作軸２５のカム部２５ｂにより左右に押し広げられ、線ばね部材２７の接触部２７ｃが、カメラ１１のホットシュー７の内壁側面７ａに押圧され、これにより接続部１３がカメラ１１のホットシュー７に強固に固定される。
【００５１】
そして、この装着状態から、操作部材２６の指掛け部２６ｃを、図１１の矢印Ａの反対方向に９０度回動すると、操作部材２６の指掛け部２６ｃが左端に位置し、解除状態となる。
上述したホットシューへの接続部構造では、接続部１３のカメラ１１のホットシュー７への装着時に、線ばね部材２７の接触部２７ｃを、カメラ１１のホットシュー７の内壁側面７ａに押圧するようにしたので、カメラ１１のホットシュー７に、接続部１３を容易，確実に固定することができる。
【００５２】
また、上述したホットシューへの接続部構造では、線ばね部材２７を導電性の金属により形成し、線ばね部材２７に基準電位線８を接続したので、カメラ１１と延長装置１２のカメラ１１側の接続部１３とに共通の基準電位を確実に取ることができる。
【００５３】
（第３の実施形態）
図１４ないし図１６は、本発明のホットシューへの接続部構造の第３の実施形態を示している。
この実施形態では、第２の実施形態と同様に、カメラ１１のホットシュー７に、延長装置１２のカメラ１１側の接続部１３が装着される。
【００５４】
なお、この実施形態において第２の実施形態と同一の部材には、同一の符号を付して詳細な説明を省略する。
この実施形態では、弾性部材に板ばね部材３１が使用されている。
板ばね部材３１は、図１４に示すように、ホットシュー７側が開口されるコ字状の変形部３１ａを有している。
【００５５】
変形部３１ａの両側は、外側に向けて折曲され接触部３１ｂが形成されている。
そして、図１５に示すように、変形部３１ａが、Ｕ字状に折曲され支持部３１ｃが形成されている。
板ばね部材３１の支持部３１ｃは、接続部本体３２の板ばね部材受け３２ｂに設置され、位置決め壁３２ｃにより取付位置が固定されている。
【００５６】
さらに、蓋２２の押さえ壁２２ｃで、板ばね部材３１の上面を覆うことにより、板ばね部材３１は所定の位置に確実に固定されている。
板ばね部材３１の接触部３１ｂは、接続部本体３２の溝穴部３２ｄに挿通されている。
板ばね部材３１の上部には、操作軸２５のカム部２５ｂの動作を受ける、カム受け部３１ｄが形成されている。
【００５７】
板ばね部材３１の接触部３１ｂは、カメラ１１のホットシュー７の内壁側面７ａに向けて形成されている。
接触部３１ｂの先端は、鋭角形状に形成されエッジ部３１ｅとされている。
【００５８】
板ばね部材３１は、導電性の金属により形成されている。
そして、板ばね部材３１の上端には、基準電位線８が接続されている。
また、カメラ１１のホットシュー７の下面には、カメラ１１側の基準電位線９が接続されている。
以下、上述したカメラ１１のホットシュー７と延長装置１２のカメラ１１側の接続部１３の挿脱動作について説明する。
【００５９】
上述したホットシューへの接続部構造では、操作部材２６の指掛け部２６ｃが、図１１の左端に位置する時が、カメラ１１のホットシュー７への延長装置１２の接続部１３の装着の解除状態とされる。
そして、この解除状態では、図１５に示したように、操作軸２５のカム部２５ｂが、一対のカム受け部３１ｄの間に平行に位置されている。
【００６０】
そして、板ばね部材３１のカム受け部３１ｄは、操作軸２５のカム部２５ｂの力を受けることなく自由状態であり、カメラ１１のホットシュー７の内壁側面７ａと板ばね部材３１の接触部３１ｂとの間に所定の間隙が形成されている。
従って、カメラ１１のホットシュー７への接続部１３の装着を自在に行うことが可能である。
【００６１】
そして、この状態から、操作部材２６の指掛け部２６ｃを、図１１の矢印Ａ方向に９０度回動すると、操作部材２６の指掛け部２６ｃが右端に位置し、この時が、カメラ１１のホットシュー７への延長装置１２の接続部１３の装着状態とされる。
図１７および図１８は、この装着状態を示すもので、この装着状態では、操作軸２５のカム部２５ｂが、一対のカム受け部３１ｄに対して直角方向に位置されている。
【００６２】
そして、板ばね部材３１のカム受け部３１ｄが操作軸２５のカム部２５ｂにより左右に押し広げられ、板ばね部材３１の接触部３１ｂが、カメラ１１のホットシュー７の内壁側面７ａに押圧され、これにより接続部１３がカメラ１１のホットシュー７に強固に固定される。
そして、この装着状態から、操作部材２６の指掛け部２６ｃを、図１１の矢印Ａの反対方向に９０度回動すると、操作部材２６の指掛け部２６ｃが左端に位置し、解除状態となる。
【００６３】
上述したホットシューへの接続部構造では、接続部１３のカメラ１１のホットシュー７への装着時に、板ばね部材３１の接触部３１ｂを、カメラ１１のホットシュー７の内壁側面７ａに押圧するようにしたので、カメラ１１のホットシュー７に、接続部１３を容易，確実に固定することができる。
また、上述したホットシューへの接続部構造では、板ばね部材３１を導電性の金属により形成し、板ばね部材３１に基準電位線８を接続したので、カメラ１１と延長装置１２の接続部１３とに共通の基準電位を確実に取ることができる。
【００６４】
（基準電位の説明）
以下、上述した各実施形態において、カメラと閃光装置とに共通の基準電位を確実に取ることが可能になる理由について詳細に説明する。
図１９は、従来の閃光装置６１の脚部６３と、カメラ６５側のホットシュー６７を示している。
【００６５】
カメラ６５側のホットシュー６７には、カメラ６５から閃光装置６１に発光指示信号を伝達するための接点６９（Ｘ接点）の他に、カメラ６５側から様々な情報を伝達するための接点（７１，７３，７５）が配置されている。
閃光装置６１側には、それらの接点と電気的に接続するための可動ピン（７７，７９，８１）が配置されているのは周知である。
【００６６】
閃光装置６１をカメラ６５に周知の方法で取り付けると、それぞれの接点とピンが電気的に接続され、図２０に示すような回路が構成される。
この時、カメラ６５側のＸ接点６９は閃光装置６１のピン７７と接続され、カメラ６５がレリーズされた時に、閃光装置６１を発光させる指示を行う。
【００６７】
同様に、閃光装置６１のピン７９は、カメラ６５側の接点７１、ピン８１は接点７３と接続される。
閃光装置６１の脚部６３の側面の両側には、バネ８３が配置されており、カメラ６５のホットシュー６７に装着した際に、ホットシュー６７の両側面６７ａにバネ力で接触される。
【００６８】
バネ８３とホットシュー６７は、それぞれ閃光装置６１とカメラ６５の基準電位に接続されている。
ピン７９と接点７１は、クロックラインを構成し、閃光装置６１とカメラ６５がシリアル通信を行う際の基準クロックを伝達する。
また、ピン８１と接点７３は、データラインを構成し、基準クロックに同期させてデータラインをハイ（Ｈｉｇｈ）またはロウ（Ｌｏｗ）に設定することで、閃光装置６１とカメラ６５間で、シリアルデータの送信および受信を行う。
【００６９】
そして、例えば、カメラ６５から閃光装置６１に、ズームレンズの焦点距離情報が伝達され、閃光装置６１の照射角度が自動的に設定される。
以下、閃光装置６１からカメラ６５にシリアルデータを送信する場合について述べる。
図２０において、Ｅは閃光装置６１の電源であり、電流源８５，８７により、定電流Ｉ１，Ｉ２を発生させている。
【００７０】
８９は送信回路であり、その出力は、トランジスターＱ１，Ｑ２を駆動する。トランジスターＱ１，Ｑ２のコレクターは、それぞれクロックライン９１とデータライン９３に接続されており、トランジスターＱ１，Ｑ２が導通すると、各ラインの定電流Ｉ１，Ｉ２を基準電位ＧＮＤ１に接続し、ロウレベルに設定する。
また、トランジスターＱ１，Ｑ２が非導通時には、各ラインはハイレベルとなる。
【００７１】
このようにして、閃光装置６１は、クロックライン９１とデータライン９３にデジタル信号を出力する。
その際、トランジスターＱ１，Ｑ２が導通した時に、トランジスターＱ１，Ｑ２を流れる電流Ｉａ（＝Ｉ１）とＩｂ（＝Ｉ２）は、閃光装置６１の基準電位ＧＮＤ１を通って、電源Ｅに帰還する。
【００７２】
クロックライン９１は、ピン７９、接点７１を介して電圧比較器Ｃ３に入力される。
データライン９３は、ピン８１、接点７３を介して電圧比較器Ｃ４に入力される。
この時、カメラ６５側の送信回路９５は受信状態となっており、その出力に繋がるトランジスターＱ３，Ｑ４は非導通のままの状態である。
【００７３】
クロックライン９１とデータライン９３の信号は、電圧比較器Ｃ３，Ｃ４に入力され、予め設定された比較基準電圧Ｖｒｅｆ２と比較され、比較基準電圧Ｖｒｅｆ２より高い電圧であればＨ（ハイ）、低ければＬ（ロウ）の信号として認識され、それぞれＣＬＯＣＫ２とＤＥＴＡ２に出力される。
ＣＬＯＣＫ２とＤＥＴＡ２は、その後、図示しないマイクロコンピュータで処理される。
【００７４】
次に、カメラ６５から閃光装置６１にシリアルデータを送信する場合について述べる。
カメラ６５から閃光装置６１にシリアルデータを送信する場合は、閃光装置６１側の送信回路８９は非作動状態となり、トランジスターＱ１，Ｑ２は非導通状態となる。
【００７５】
また、カメラ６５側の送信回路９５が送信状態となり、接続されたトランジスターＱ３，Ｑ４は導通と非導通を繰り返し、クロックライン９１とデータライン９３に、ハイまたはロウの信号を出力する。
閃光装置６１側の電圧比較器Ｃ１，Ｃ２は、同様の動作で、クロックライン９１とデータライン９３の電圧を、Ｈ（ハイ）またはＬ（ロウ）の信号として認識し、図示しないマイクロコンピュータで情報として処理する。
【００７６】
トランジスターＱ３，Ｑ４が導通する時、クロックライン９１とデータライン９３から電流Ｉｃ（＝Ｉ１）とＩｄ（＝Ｉ２）が、カメラ６５の基準電位ＧＮＤ２に流れる。
Ｉｃ＋Ｉｄの電流は、ホットシュー６７からバネ８３を介して閃光装置６１の電源Ｅへ帰還する。
【００７７】
従って、ホットシュー６７とバネ８３との接触抵抗Ｒには、電流Ｉｃ＋Ｉｄが流れることにより、接触電位が発生する。
閃光装置６１がカメラ６５からのシリアルデータを受信している際は、比較基準電圧Ｖｒｅｆ１は、閃光装置６１の基準電位ＧＮＤＩを基準として作動している。
【００７８】
そのために、接触抵抗Ｒが大きくなると、接触電位が高くなり、コンパレーターＣ１，Ｃ２は、ロウレベル信号をハイレベル信号として認識してしまう誤動作がおこる。
図２１は、時間とともに変化するクロックライン９１とデータライン９３の電圧の変化を示している。
【００７９】
トランジスターＱ３は、時間とともに交互に非導通（ＯＦＦ）→導通（ＯＮ）を繰り返すクロック信号を発生している。
非導通時にはＨ（ハイ）、導通時にはＬ（ロウ）の信号をクロックライン９１に発生している。
同様に、トランジスターＱ４は、時間とともに、例えば、導通（ＯＮ）→非導通（ＯＦＦ）→非導通（ＯＦＦ）→導通（ＯＮ）となり、信号Ｌ→Ｈ→Ｈ→Ｌをデータライン９３に送信している。
【００８０】
それぞれの時点、ａ→ｂ→ｃ→ｄでのクロックライン９１とデータライン９３の変化を図２１に示す。
時点ａにおいては、トランジスターＱ４が導通（ＯＮ）しているために、接触抵抗Ｒに電流Ｉｄ（＝Ｉ２）が流れることにより、データライン９３のロウレベルは完全には零にはならず、電圧Ｖ３（＝Ｉｄ・Ｒ＝Ｉ２・Ｒ）が発生する。
【００８１】
また、クロックライン９１はトランジスターＱ３が非導通（ＯＦＦ）でありハイレベルとなる。
時点ｂにおいては、トランジスターＱ３が導通（ＯＮ）しているために、接触抵抗Ｒに電流Ｉｃ（＝Ｉ１）が流れることにより、クロックライン９１のロウレベルは完全には零にはならず、電圧Ｖ１（＝Ｉｃ・Ｒ＝Ｉ１・Ｒ）が発生する。
【００８２】
また、クロックライン９１はトランジスターＱ４が非導通（ＯＦＦ）でありハイレベルとなる。
時点ｃにおいては、トランジスターＱ３，Ｑ４は非導通（ＯＦＦ）であるために接触抵抗Ｒは無関係であり、クロックライン９１とデータライン９３はハイレベルである。
【００８３】
時点ｄにおいては、トランジスターＱ３，Ｑ４がともに導通（ＯＮ）しているために、接触抵抗ＲにＩｃ＋Ｉｄ（＝Ｉ１＋Ｉ２）の電流が流れることにより、クロックライン９１とデータライン９３のレベルは完全には零にはならず、電圧Ｖ２（＝（Ｉｃ＋Ｉｄ）・Ｒ＝（Ｉ１＋Ｉ２）・Ｒ）が発生する。
図２１では、接触抵抗Ｒが小さく、流れる電流Ｉ１，Ｉ２、あるいは、Ｉ１＋Ｉ２によって発生する電圧が、比較基準電圧Ｖｒｅｆ１より小さいため、コンパレーターＣ１，Ｃ２はロウレベルの検出を誤認することはない。
【００８４】
しかしながら、接触抵抗Ｒが大きくなり、Ｉ１・Ｒ，Ｉ２・Ｒ、あるいは、（Ｉ１＋Ｉ２）・Ｒが比較基準電圧Ｖｒｅｆ１より大きくなると、ロウレベルの信号をハイレベルの信号と誤認識してしまう。
そして、この場合には、カメラ６５から閃光装置６１へのシリアル通信が不可能となる。
【００８５】
接触抵抗Ｒは、バネ８３とホットシュー６７との接触状態によって変化する。バネ８３の押圧力が大きい場合は、接触抵抗Ｒは小さく、押圧力が小さくなると接触抵抗Ｒは大きくなる。
また、バネ８３とホットシュー６７の表面のメッキの種類や表面の酸化状態によっても大きく変化する。
【００８６】
さらに、閃光装置６１をカメラ６５に繰り返し装着することによる摩耗によって、しばしば接触抵抗Ｒが増大し、カメラ６５から閃光装置６１へのシリアル通信不能が発生する。
図２０の例では、閃光装置６１がトランジスターＱ１，Ｑ２をＯＮ，ＯＦＦ動作させてカメラ６５に送信している際には、トランジスターＱ１，Ｑ２を流れる電流Ｉａ，Ｉｂは接触抵抗Ｒを流れることはないので、シリアル通信不能は発生しない。
【００８７】
しかしながら、図２０では、クロックライン９１とデータライン９３の電流源８５，８７が閃光装置６１側に配置されている。
この場合、前述の通り、カメラ６５から閃光装置６１にシリアル通信する際に、信号電流が接触抵抗Ｒを流れることにより、シリアル通信不能の問題が発生する。
なお、カメラ６５にクロックライン９１とデータライン９３の電流源を配置した場合には、逆に閃光装置６１からカメラ６５にシリアル通信する際に、接触抵抗Ｒの問題が発生する。
【００８８】
しかしながら、本発明では、閃光装置６１の脚部６３、あるいは、延長装置の接続部に配置される弾性部材６，２７，３１の接触部６ｄ，２７ｃ，３１ｂが、ホットシュー６７の内壁側面に強い圧力で食い込むように接触する。
従って、機械的に強固な固定が可能になるだけでなく、例え電気的抵抗の高い酸化皮膜が存在していても皮膜を破り良好な接触を得ることができる。
【００８９】
この結果、接触抵抗Ｒが下がることで、シリアル通信に支障をきたすことがなくなる。
【００９０】
【発明の効果】
以上述べたように、請求項１のホットシューへの接続部構造では、接続部のホットシューへの装着時に、弾性部材の接触部をホットシューの内壁側面に押圧するようにしたので、ホットシューに、接続部を容易，確実に固定することができる。
【００９１】
請求項２のホットシューへの接続部構造では、操作軸を回動すると、操作軸のカム部により弾性部材が弾性変形し、接触部がホットシューの内壁側面に押圧されるため、ホットシューに接続部を容易，確実に固定することができる。
請求項３のホットシューへの接続部構造では、操作軸を回動すると、操作軸のカム部により弾性部材の変形部の両端が拡径され、接触部がホットシューの内壁側面に押圧されるため、ホットシューに接続部を容易，確実に固定することができる。
【００９２】
請求項４のホットシューへの接続部構造では、弾性部材を、板材または線材により一体形成したので、弾性部材を容易かつ安価に製造することができる。
請求項５のホットシューへの接続部構造では、接触部の先端に、鋭角状のエッジ部を形成したので、エッジ部をホットシューの内壁側面に容易，確実に食い込ませることができる。
【００９３】
請求項６のホットシューへの接続部構造では、閃光装置の脚部を、ホットシューに容易，確実に装着することができる。
請求項７のホットシューへの接続部構造では、延長装置のコードのカメラ側端を、カメラのホットシューに容易，確実に装着することができる。
請求項８のホットシューへの接続部構造では、弾性部材を導電性の金属により形成し、弾性部材に基準電位線を接続したので、カメラとホットシューへの接続部構造とに共通の基準電位を確実に取ることができる。
【図面の簡単な説明】
【図１】本発明のホットシューへの接続部構造の第１の実施形態の解除状態を示す図２のＩ−Ｉ線に沿う断面図である。
【図２】図１のＩＩ−ＩＩ線に沿う断面図である。
【図３】図１の側面図である。
【図４】図１の操作部材を示す正面図である。
【図５】図１の装着状態を示す断面図である。
【図６】図１の装着状態を示す断面図である。
【図７】本発明のホットシューへの接続部構造の第２の実施形態の解除状態を示す図８のＶＩＩ−ＶＩＩ線に沿う断面図である。
【図８】図７のＩＩＸ−ＩＩＸ線に沿う断面図である。
【図９】図７の側面図である。
【図１０】閃光装置の延長装置を示す説明図である。
【図１１】図７の操作部材を示す正面図である。
【図１２】図７の装着状態を示す断面図である。
【図１３】図７の装着状態を示す断面図である。
【図１４】本発明のホットシューへの接続部構造の第３の実施形態の解除状態を示す図１５のＸＩＶ−ＸＩＶ線に沿う断面図である。
【図１５】図１４のＸＶ−ＸＶ線に沿う断面図である。
【図１６】図１４の側面図である。
【図１７】図１４の装着状態を示す断面図である。
【図１８】図１４の装着状態を示す断面図である。
【図１９】従来のホットシューへの接続部構造およびホットシューを示す斜視図である。
【図２０】ホットシューへの接続部構造とカメラとの通信回路を示す回路図である。
【図２１】図２０のクロックラインとデータラインの電圧の変化を示す説明図である。
【符号の説明】
１　脚部
２　脚部本体
２ａ，２１ａ　挿入部
３，２３　操作手段
４，２５　操作軸
４ｃ，２５ｂ　カム部
６　弾性部材
６ａ　変形部
６ｉ，２７ｅ　エッジ部
７　ホットシュー
７ａ　内側側面
１２　延長装置
１３　接続部
２１，３２　接続部本体
２７　線ばね部材
３１　板ばね部材
【図１】
2004020682.tif 000003
【図２】
2004020682.tif 000004
【図３】
2004020682.tif 000005
【図４】
2004020682.tif 000006
【図５】
2004020682.tif 000007
【図６】
2004020682.tif 000008
【図７】
2004020682.tif 000009
【図８】
2004020682.tif 000010
【図９】
2004020682.tif 000011
【図１０】
2004020682.tif 000012
【図１１】
2004020682.tif 000013
【図１２】
2004020682.tif 000014
【図１３】
2004020682.tif 000015
【図１４】
2004020682.tif 000016
【図１５】
2004020682.tif 000017
【図１６】
2004020682.tif 000018
【図１７】
2004020682.tif 000019
【図１８】
2004020682.tif 000020
【図１９】
2004020682.tif 000021
【図２０】
2004020682.tif 000022
【図２１】
2004020682.tif 000023